(57)【要約】【課題】アキュムレータを圧縮機に接続して運転したときに密閉容器内部に加えられるガス圧力によって下部容器が変形し、出口管が傾いて密閉容器内部で他の出口管や密閉容器内壁に接触して異常音の原因となったり、出口管の開口部が仕切板に設けられた複数の孔に直接のぞき、入口管から流入した冷媒の液成分がそのまま出口管を経て圧縮機に吸入される虞れがあるという課題を有していた。【解決手段】アキュムレータ下部容器３のみ板厚を胴部４、上部容器２よりも厚く構成する、又はリブ１０を設けることで、安価な方法で出口管の傾きを抑えることができる。【選択図】図１
2011174401.tif 000002
【特許請求の範囲】
【請求項１】
上部容器と下部容器と胴部からなる密閉容器に前記上部容器の上方に入口管を設置し、圧縮機と接続され、前記密閉容器内部に挿入される複数の出口管と、これら出口管と前記入口管との間に複数の孔を有する仕切板を前記上部容器に設置し、下部容器の板厚を、上部容器及び胴部容器の板厚に対し１．３倍以上にしたことを特徴とする多気筒圧縮機用アキュムレータ。
【請求項２】
下部容器内部にリブを設けたことを特徴とする請求項１記載の多気筒圧縮機用アキュムレータ。
【請求項３】
下部容器外側にリブを設けたことを特徴とする請求項１記載の多気筒圧縮機用アキュムレータ。
【請求項４】
複数の出口管の方向に沿う方向に段を設けた形状を有する下部容器で構成されたことを特徴とする請求項１記載の多気筒圧縮機用アキュムレータ。
【発明の詳細な説明】
【技術分野】
【０００１】
本発明は、多気筒圧縮機に用いられるアキュムレータに関するものである。
【背景技術】
【０００２】
従来の多気筒圧縮機用アキュムレータは、図３に示すように、半球面を有する上部容器２と、同じく半球面を有する下部容器３と、円筒状の胴部４と、上部容器１の上方に設けられた入口管５と、圧縮機（図示せず）と接続され前記密閉容器１の下部に設けられた複数の取付孔１０ａ，１０ｂから挿入された複数の出口管６ａ，６ｂと、この出口管６ａ，６ｂと前記入口管５との間に設置された複数の孔７を有する仕切板８とで構成されている。
【０００３】
前記構成において、入口管５から流入した冷媒の液成分は、仕切板８に当たった後、この仕切板８に設けられた複数の孔７を通り、一旦、密閉容器１の下部へ溜まった後、気化してから出口管６ａ，６ｂよりガス成分として圧縮機へ流出する。
【０００４】
前記従来の構成では、複数の出口管６ａ，６ｂは、密閉容器１の半球面状の下部に複数の取付孔９ａ，９ｂを設け、そこから密閉容器１内部に挿入したうえ、ロウ付けなどの方法によって設置固定されていた。
【０００５】
当該アキュムレータは、圧縮機に接続して運転したときに密閉容器１内部に加えられるガスの圧力によって下部容器３が変形し、出口管６ａ，６ｂの傾きが大きくなるという課題があった。
【０００６】
これら出口管６ａ，６ｂが傾いた状態になると、密閉容器１の内部で出口管６ａ，６ｂが互いに接触したり、あるいは密閉容器１の内壁に接触して異常音の原因となることがあった。
【０００７】
さらに、場合によっては、出口管５ａ，５ｂの開口部が仕切板８に設けられた複数の孔７に直接のぞくことになり、入口管４から流入した冷媒の液成分がそのまま出口管５ａ，５ｂを経て圧縮機に吸入されるため、気液分離というアキュムレータ本来の機能を果たさず、圧縮機の信頼性を低下させるといった課題を生じていた。
【０００８】
上記課題を解決する従来技術として、図４に示すように、特許文献１に開示されているアキュムレータが知られている。この技術によれば、アキュムレータの出口管を中間板８に設けられた固定穴９ａ，９ｂに挿入、固定することで出口管の倒れを防止するものである（例えば、特許文献１参照）。
【先行技術文献】
【特許文献】
【０００９】
【特許文献１】特開２００６−２９９９４３号公報
【発明の概要】
【発明が解決しようとする課題】
【００１０】
しかしながら、前記従来技術では、密閉容器内に別途中間板を溶接固定する必要があり、部品点数及び組立工数の増加によるコストアップの課題があった。
【００１１】
本発明は、このような従来の課題を解決するものであり、出口管の傾きのない多気筒圧
縮機用アキュムレータを提供することを目的とする。
【課題を解決するための手段】
【００１２】
前記従来の課題を解決するために本発明のアキュムレータは、下部容器３のみの強度を向上したことを特徴としている。これによって、冷媒運転中にも下部容器３の変形を抑え、出口管６ａ，６ｂの傾きを抑えることができる。また強度向上を下部容器３に限定することで材料費の上昇を最小限に抑えることができる。
【発明の効果】
【００１３】
本発明の多気筒圧縮機用アキュムレータは、圧縮機に接続して運転した場合にも複数の出口管の傾きを抑え、異常音や圧縮機の信頼性低下といった不具合を防いだ多気筒圧縮機用アキュムレータを低コストで提供することができる。
【図面の簡単な説明】
【００１４】
【図１】本発明の実施の形態１におけるアキュムレータの断面図
【図２】本発明の実施の形態２におけるアキュムレータの下部容器の拡大図
【図３】従来のアキュムレータの一例を示す断面図
【図４】従来のアキュムレータのもう一つの例を示す断面図
【図５】本発明の実施の形態３におけるアキュムレータの下部容器の拡大図
【図６】本発明の実施の形態４におけるアキュムレータの下部容器の拡大図
【発明を実施するための形態】
【００１５】
第１の発明は、密閉容器を構成する上部容器と胴部容器と下部容器のうち、下部容器３の板厚を胴部容器及び上部容器の板厚に対し１．３倍以上にしたものである。
【００１６】
この構成により、冷媒がアキュムレータ内に封入された場合にも下部容器の圧力による変形を抑え、出口管の傾きを抑えることができる。
【００１７】
第２の発明は、密閉容器を構成する上部容器と胴部容器と下部容器のうち、下部容器３にリブを設置したものである。
【００１８】
この構成により、冷媒がアキュムレータ内に封入された場合にも下部容器の圧力による変形を抑え、出口管の傾きを抑えることができる。
【００１９】
以下、本発明の実施の形態について図面を参照して説明する。
【００２０】
（実施の形態１）
図１は、本発明の実施の形態１における多気筒圧縮機用アキュムレータの図である。
【００２１】
図１において、上部容器２と、下部容器３及び胴部４を接続した円筒状の密閉容器１の上方に入口管５と、圧縮機（図示せず）と接続された前記密閉容器１の内部に挿入される複数の出口管６ａ，６ｂとが設置されている。また、上記密閉容器のうち下部容器３の板厚を上部容器２および胴部容器４の板厚に対し１．５倍以上になるように構成されている。
【００２２】
上記構成のアキュムレータが圧縮機に接続されて運転を行う場合、アキュムレータ内には冷媒ガスが流入する。密閉容器１内には冷媒ガスの圧力がかかるが、本発明のアキュムレータは下部容器３の板厚を上部容器２および胴部容器４の板厚に対し１．５倍以上の厚さに構成しているため、下部容器３自体の圧力に対する変形量を小さく抑え、下部容器３に溶接固定された出口管６ａ，６ｂの傾きを低減、結果として出口管６ａ，６ｂ同士の接
触を防ぐことができる。
【００２３】
（実施の形態２）
図２は、本発明の実施の形態２における多気筒圧縮機用アキュムレータの図である。
【００２４】
図２において、上部容器２と、下部容器３及び胴部４を接続した円筒状の密閉容器１の上方に入口管５と、圧縮機（図示せず）と接続された前記密閉容器１の内部に挿入れる複数の出口管６ａ，６ｂとが設置されている。また、上記密閉容器のうち下部容器３の内部には、変形を抑えるためのリブ１０が複数の出口管の設置方向に沿う方向に設置されている。
【００２５】
実施の形態１と同様、上記構成により下部容器３自体の変形を抑え、また下部容器３に溶接固定された出口管６ａ，６ｂの傾きを抑えることができる。
【００２６】
（実施の形態３）
上記リブの形状は図２に示す形状に限定する必要は無く、図５に示す通り圧力容器の外側に設置することも可能である。
【００２７】
（実施の形態４）
また、リブを追加するのではなく、図６に示すとおり下部容器３の形状自体を段付きの形状にしても同様の効果が得られる。
【産業上の利用可能性】
【００２８】
以上のように、本発明にかかる多気筒圧縮機用アキュムレータは、簡素な構造で、安価でかつ確実出口管の傾きを防止することが可能となるので、空気調和装置や冷蔵庫等の冷凍機器の用途に適用できる。
【符号の説明】
【００２９】
１  密閉容器
２  上部容器
３  下部容器
４  胴部
５  入口管
６ａ  出口管
６ｂ  出口管
７  仕切り板に設けられた孔
８  仕切り板
９ａ  取付孔
９ｂ  取付孔
１０  リブ
【図１】
2011174401.tif 000003
【図２】
2011174401.tif 000004
【図３】
2011174401.tif 000005
【図４】
2011174401.tif 000006
【図５】
2011174401.tif 000007
【図６】
2011174401.tif 000008